(57)【要約】【課題】  自動車のターン或いは軌道変更を後続する自動車に知らせる補助警戒装置を組込んだ外部リヤビューミラー装置を、提供する。【解決手段】  自動車のターンシグナル系統に対し予想されるターンを隣接する車両に警報するように作動可能な警戒灯装置３８を、外部リヤビューミラー装置に組込んだ。警戒灯装置は第１の装飾カバー部材３６と一体化してあり、電気導線５４によるか一体形成したプラグ及び出力機構によって自動車のターンシグナル系統に対し接続してよい。警戒灯を組込みたくない場合には、第１の装飾カバー部材に代えて第２の装飾カバー部材を用いればよい。【選択図】  図３ 
2004196298.tif 000002
【特許請求の範囲】
【請求項１】
ほぼ後方を向く開口を有し自動車の外面に取付けるものとされたハウジング（１６；１６'）、上記開口内に配置された反射ミラー（３２）、及び上記ハウジング（１６：１６'）の外面部に重ね合わせて取付けられた第１の装飾カバー部材（３６；８２）、を備えた外部リヤビューミラー装置において、
前記装飾カバー部材（３６；８２）が光透過窓（５６）、及び光源（４６）を含む警戒灯装置（３８）を含んでおり、上記光源（４６）がその動作時に、上記光透過窓（５６）を通して隣接する自動車に視認可能な信号を付与するものである外部リヤビューミラー装置。
【請求項２】
前記警戒灯装置（３８）が灯火ハウジング（４０；７３）を含み、前記光源（４６）が、この灯火ハウジング（４０；７３）に着脱自在に取付けられた電気ソケット（４４；７４）を含んでいる請求項１の外部リヤビューミラー装置。
【請求項３】
前記警戒灯装置（３８）を、前記装飾カバー部材（３６；８２）上に設けた請求項２の外部リヤビューミラー装置。
【請求項４】
前記光透過窓がレンズ（５６）であり、前記灯火ハウジングが該レンズ（５６）に対し固定された灯火ソケット支持部材（４０；７３）を含み、前記レンズ（５６）が前記装飾カバー部材（３６；８２）の外面に実質的に滑らかに連続する外面形状を有する請求項３の外部リヤビューミラー装置。
【請求項５】
前記灯火ソケット支持部材（４０；７３）が反射性内面（６４）を含み、該内面が前記光源（４６）から放出される最大量の光を前記レンズ（５６）に向けるように形状付けられた請求項４の外部リヤビューミラー装置。
【請求項６】
前記レンズ（５６）が、自動車の長手中心線に対し垂直に延びてミラー装置を通過する直線から後向きに光を、約９０度の角度だけ向けるものである請求項４の外部リヤビューミラー装置。
【請求項７】
前記外部リヤビューミラー装置が電気接続器（５２；８０）を含み、該電気接続器が車両ターンシグナル系統に対し電気接続を行うものであって、前記光源（４６）が該電気接続器と対をなす接続器（５４；７６）を有しており、これによって車両ターンシグナルが作動せしめられると光源（４６）が作動される請求項１の外部リヤビューミラー装置。
【請求項８】
前記対をなす接続器（５４；７６）を前記光源（４６）と一体形成してある、請求項７の外部リヤビューミラー装置。
【請求項９】
前記警戒灯装置（３８）を、前記装飾カバー部材（３６；８２）に固定してある請求項１の外部リヤビューミラー装置。
【請求項１０】
前記外部リヤビューミラー装置が第２の装飾カバー部材（７２）を有し、この第２の装飾カバー部材（７２）が第１の装飾カバー部材（３６，８２）と交換可能であり、該第２の装飾カバー部材（７２）は、前記警戒灯装置（３８）の設置が希望されない時に前記ハウジング（１６，１６'）に固定されるようにした、請求項１の外部リヤビューミラー装置。
【請求項１１】
自動車に装着するようにした外部リヤビューミラー装置であって、
後方を向く開口に連なるところのほぼ閉鎖された領域を形成する上壁部（２２）、低壁部（２４）、前向き壁部（２６）、及び内外の壁部（２８、３０）を有するハウジングと、
前記後向き開口内に可動に配置してあるミラー（３２）と、
前記ハウジング（１６，１６'）内に設けられて、上記した上壁部（２２）と前向き壁部（２６）と外壁部（２８，３０）の少なくとも一部上にまたがって延びる凹入部（３４）と、
前記ハウジング（１６，１６'）内に部分的に配置された電気接続器（５２）を含み、前記車両ターンシグナルの回路に接続されるようにしたワイヤリングハーネス（５４）と、
前記外壁部（２８，３０）の凹入部（３４）に設けられ、前記電気接続器（５２）がそれを通って接近しうる開口（６６）と、
前記凹入部（３４）に該凹入部をほぼ覆うように受け入れられた装飾カバー部材（３６，８２）とを含み、
該装飾カバー部材（３６，８２）が、
該装飾カバー部材（３６，８２）の外面と連続する形状を有するレンズ（５６）を含む灯火ハウジング（４０，７３）と、
該灯火ハウジング（４０，７３）内に支持されて、前記電気接続器（５２）に接続された光源（４６）とを含み、これにより前記車両ターンシグナルの回路の作動に応答して光源が作動されるようにした外部リヤビューミラー装置。
【請求項１２】
前記光源（４６）が、前記灯火ハウジング（４０，７３）から延出する１対の導電性フォーク（７６）を有し、該フォーク（７６）が、前記装飾カバー部材（３６，８２）を前記ハウジング（１６'）に対し組付けると前記電気接続器（５２）に対し接続可能である請求項１１の外部リヤビューミラー装置。
【請求項１３】
前記灯火ハウジング（４０，７３）が前記外壁部（２８，３０）に重ね合わせて前記装飾カバー部材（３６，８２）の部分に固定されている請求項１１の外部リヤビューミラー装置。
【請求項１４】
前記灯火ハウジング（４０，７３）が、前記光源（４６）からの光を前記レンズ（５６）に向ける表面を含む請求項１１の外部リヤビューミラー装置。
【請求項１５】
前記レンズ（５６）は、光を前記自動車に続いて横を走行する他の自動車によって視認される方向に、前記外壁部（２８，３０）から外方に向けるように作用する請求項１１の外部リヤビューミラー装置。
【請求項１６】
自動車用の外部リヤビューミラー装置であって、
相互に接続された上壁部（２２）と、低壁部（２４）と、前向き壁部（２６）と、及び内外の壁部（２８、３０）とを有し、内部に車両ターンシグナルの回路に接続されるようにしたワイヤリングハーネス（５４）を配置されたハウジング（１６，１６'）であって、前記上壁部（２２）と、前向き壁部（２６）と、外壁部（３０）の少なくとも一部分を横切って延びる凹入部（３４）を有するハウジング（１６，１６'）と、
前記外壁部（３０）の前記凹入部（３４）内に設けられた電気接続器（５２）と、
前記凹入部（３４）に受け入れられて該凹入部をほぼ覆うことができる第１の装飾カバー部材（７２）と、
前記凹入部（３４）に受け入れられて該凹入部をほぼ覆うことができる第２の装飾カバー部材（３６，８２）であって、その上に設けられた光源（４６）と、前記外壁部（３０）の凹入部（３４）内の電気接続器（５２）に接続可能な光源用の電気接続器（５０）とを含む第２の装飾カバー部材（３６，８２）とを有し、
前記第１及び第２の装飾カバー部材（７２，３６，８２）のうちの一つが前記凹入部（３４）内に配置されている外部リヤビューミラー装置。
【請求項１７】
前記光源（４６）が、前記外壁部（３０）の凹入部（３４）内に受け入れられた前記第２の装飾カバー部材（３６，８２）の部分内に設けられている請求項１６の外部リヤビューミラー装置。
【請求項１８】
前記光源（４６）は、前記車両ターンシグナルの回路の作動に応答して作動可能である請求項１７の外部リヤビューミラー装置。
【請求項１９】
前記外壁部（３０）の凹入部（３４）は、前記第２の装飾カバー部材（３６，８２）を前記ハウジング（１６，１６'）に組付けたとき、前記光源（４６）を受け入れるようにした空所（７８）を含み、該空所（７８）は前記第１又は第２の装飾カバー部材（７２，３６，８２）を前記ハウジング（１６，１６'）に組み付けたとき覆い隠されるようになっている請求項１６の外部リヤビューミラー装置。
【請求項２０】
前記空所（７８）は、前記第２の装飾カバー部材（３６，８２）を前記ハウジング（１６，１６'）に組み付けたとき、前記光源（４６）に設けたプラグ（７４）を受け入れる電気出力部（８０）を有する請求項１９の外部リヤビューミラー装置。
【請求項２１】
後方を向く開口を有し自動車の外面に取付けるものとされたハウジング（１６；１６'）、上記開口内に配置されたミラー（３２）、及び上記ハウジング（１６：１６'）の外面部に重ね合わせて取付けられた第１の装飾カバー部材（３６；８２）、を備えた外部リヤビューミラー装置において、
前記装飾カバー部材（３６；８２）が光透過窓（５６）、及び光源（４６）を含む警戒灯装置（３８）を含んでおり、前記光透過窓（５６）が前記装飾カバー部材（３６；８２）の外面に実質的に滑らかに連続する外面形状を有し、前記装飾カバー部材（３６;８２）は取外し可能であり、かつ上記警戒灯装置（３８）および光透過窓（５６）を含まない第２のカバー部材（７２）と交換可能であり、上記光源（４６）がその動作時に、上記光透過窓（５６）を通して隣接する自動車に視認可能な信号を付与するものである外部リヤビューミラー装置。
【請求項２２】
電源に対する電気接続を行うのに使用する電気接続器（５２；８０）を含む、請求項１から２１までの何れか一項の外部リヤビューミラー装置。
【請求項２３】
前記電気接続器（５２；８０）が前記車両ターンシグナル系統に対し電気接続を行うものであって、前記光源（４６）が該電気接続器と対をなす接続器（５４；７６）を有しており、これによって前記車両ターンシグナルが作動せしめられると光源（４６）が作動される請求項２２の外部リヤビューミラー装置。
【請求項２４】
同じ審美的輪郭を維持しながら形状を変えられるようにしたミラーであって、
ほぼ後方を向く開口を有し、自動車の外面に取り付けるようにしたハウジング（１６，１６'）と、
上記開口内に配置された反射ミラー（３２）と、
該ミラーの主要輪郭を形成する第１の輪郭部材（３６，８２）とを備え、
該輪郭部材（３６，８２）は上記ハウジング（１６，１６'）に取り外し可能に取り付けられ、これにより上記第１の輪郭部材（３６，８２）が第２の輪郭部材（７２）と交換可能とされたミラー。
【請求項２５】
前記第１及び第２の輪郭部材（３６，８２，７２）の一方が警戒灯（３８）を含む請求項２４のミラー。
【請求項２６】
前記第１及び第２の輪郭部材（３６，８２，７２）の前記一方が不透明部分と光透過部分（５６）とに連続する輪郭を含む請求項２５のミラー。
【請求項２７】
前記第１又は第２の輪郭部材（３６，８２，７２）が上記ミラー（３２）の主要輪郭表面を形成する請求項２５のミラー。
【請求項２８】
前記第１及び第２の輪郭部材（３６，８２，７２）の一方が光源を含まない請求項２４のミラー。
【請求項２９】
前記第１又は第２の輪郭部材（３６，８２，７２）が突起と掛け金部材による取り付け具（６８）により取り付けられる請求項２４のミラー。
【請求項３０】
前記輪郭部材（３６，８２，７２）の一方が、前記第１の装飾カバー部材（３６，８２）の外面形状を形成する光透過レンズ（５６）を有する請求項２４のミラー。
【請求項３１】
さらに前記光透過レンズ（５６）の下に作動可能に取り付けられた警戒灯装置（３８）を有する請求項３０のミラー。
【請求項３２】
前記警戒灯装置（３８）は、上記光透過レンズ（５６）が取り付けられた灯火ハウジング（４０，７３）と、上記ハウジング（１６，１６'）に支持された光源（４６）とを含む請求項３１のミラー。
【請求項３３】
オプション組立体として補助警戒灯を有するミラーを組み立てる方法において、
自動車の外面に取り付けるようにされ、内部に反射ミラーを有するほぼ後方を向いた開口を有するミラーハウジング（１６，１６'）を用意すること、
組み立て中に警戒灯を含む装飾部材（３６，８２）と警戒灯を含まない装飾部材（７２）の部材郡から選択可能な少なくとも一つの輪郭付けられたカバー部材を前記ハウジング（１６，１６'）の輪郭を形成するために用意すること、および
輪郭付けられたミラー組立体を形成するために前記装飾部材（３６，８２，７２）をハウジング（１６，１６'）に組み付けること、
からなるミラーの組み立て方法。
【請求項３４】
前記装飾部材（３６，８２，７２）が、最初の組み付けの後に、別の装飾部材（３６，８２，７２）と交換可能である請求項３３の方法。
【請求項３５】
前記装飾部材（３６，８２）が不透明部分と光透過部分（５６）とに連続した輪郭を有する請求項３３の方法。
【請求項３６】
前記装飾部材（３６，８２，７２）が、自動車の主要輪郭部を形成する部材に連続した輪郭形状を有する請求項３３の方法。
【請求項３７】
前記輪郭付けられた装飾部材（３６，８２，７２）が突起と掛け金部材からなる取り付け具（６８）により固定される請求項３３の方法。
【請求項３８】
前記装飾部材（３６，８２）は、輪郭付けられたレンズ部分（３８）と不透明部分とを含む警戒灯装置を有する請求項３３の方法。
【請求項３９】
さらにレンズ組立体（３８）と、該レンズ組立体を受け入れるため上記輪郭づけられた装飾部材にレンズ受け部分（７３）を形成する表面とを有する請求項３３の方法。
【請求項４０】
前記レンズ受け部分（７３）は、圧力嵌めによって組み付けるための電気的接点（７６）と、上記レンズ組立体（３８）への電気接続器とを含む請求項３９の方法。
【請求項４１】
ほぼ後方を向く開口を有し自動車の外面に取付けるものとされたハウジング（１６；１６'）と、
上記開口内に配置されたミラー（３２）と、
上記ハウジング（１６：１６'）の外面部に重ね合わせて取付けられた第１のカバー部材（３６；８２）とを備え、
前記カバー部材（３６；８２）が該カバー部材に固定された光透過レンズ（５６）を備え、該レンズ（５６）が前記カバー部材の外面に実質的に滑らかに連続する外面形状を有し、また、
光源（４６）を含む警戒灯装置（３８）を備えており、該光源（４６）がその動作時に、上記光透過レンズ（５６）を通して視認可能な信号を付与するものである外部リヤビューミラー装置。
【請求項４２】
ほぼ後方を向く開口を有し自動車の外面に取付けるものとされたハウジング（１６；１６'）と、
上記開口内に配置されたミラー（３２）と、
上記ハウジング（１６：１６'）の外面部に重ね合わせて取付けられた第１のカバー部材（３６；８２）とを備え、
前記カバー部材（３６；８２）が該カバー部材に固定された付属品モジュール（３８）を備え、該付属品モジュール（３８）が前記カバー部材（３６，８２）の外面に実質的に滑らかに連続する外面形状を有する外部リヤビューミラー装置。
【請求項４３】
ほぼ後方を向く開口を有し自動車の外面に取付けるものとされた輪郭付けられたハウジング（１６；１６'）と、
上記開口内に配置された反射ミラー（３２）と、
上記ハウジング（１６：１６'）の外面部に重ね合わせて着脱自在に取付けられた第１の輪郭形成部材（３６；８２）とを備え、
前記輪郭形成部材（３６；８２）が該輪郭形成部材に固定された光透過レンズ（５６）を備え、該レンズ（５６）が前記ハウジング（１６，１６'）の外面に実質的に滑らかに連続する外面形状を有し、また、
内部に光源（４６）を有するハウジング（１６，１６'）を含む警戒灯装置（３８）を備え、該ハウジング（１６，１６'）が上記レンズ（５６）に固定されており、該光源（４６）がその動作時に、上記光透過レンズ（５６）を通して隣接する自動車に視認可能な信号を付与するものである外部リヤビューミラー装置。
【請求項４４】
ほぼ後方を向く開口を有し自動車の外面に取付けるものとされたハウジング（１６；１６'）と、
上記開口内に配置された反射ミラー（３２）と、
上記ハウジング（１６：１６'）の外面部に交換可能に取付けられた第１のカバー部材（３６；８２）とを備え、
前記カバー部材（３６；８２）が該カバー部材に固定された光透過レンズ（５６）を備え、該レンズ（５６）が前記カバー部材（３６，８２）の外面の少なくとも一部分に実質的に滑らかに連続する外面形状を有し、また、
内部に光源（４６）を有するハウジング（１６，１６'）を含む警戒灯装置（３８）を備え、該ハウジング（１６，１６'）が上記レンズ（５６）に固定されており、該光源（４６）がその動作時に、上記光透過レンズ（５６）を通して隣接する自動車に視認可能な信号を付与するものである外部リヤビューミラー装置。
【請求項４５】
自動車に装着するようにした外部リヤビューミラー装置であって、
後方を向く開口に連なるところのほぼ閉鎖された領域を形成する上壁部（２２）、低壁部（２４）、前向き壁部（２６）、及び内外の壁部（２８、３０）を有するハウジング（１６）と、
前記後向き開口内に可動に配置してあるミラー（３２）と、
前記ハウジング（１６，１６'）内に設けられて、上記した上壁部（２２）と前向き壁部（２６）と外壁部（３０）の少なくとも一部上にまたがって延びる凹入部（３４）と、
前記ハウジング（１６，１６'）内に部分的に配置された電気接続器（５２）を含み、前記車両ターンシグナルの回路に接続されるようにしたワイヤリングハーネス（５４）と、
前記外壁部（３０）の凹入部（３４）に設けられ、前記電気接続器（５２）がそれを通って接近しうる開口（６６）と、
前記凹入部（３４）に該凹入部をほぼ覆うように着脱自在に受け入れられるモジュール部材（３６，８２）とを含み、
該モジュール部材（３６，８２）が、
上記装飾カバー部材（３６，８２）の外面とほぼ滑らかに連続する形状を形成するレンズ（５６）を含む灯火ハウジング（４０，７３）と、
該灯火ハウジング（４０，７３）内に支持されて、前記電気接続器（５２）に接続された光源（４６）とを含み、これにより前記光源（４６）が前記車両ターンシグナルの回路の作動に応答して作動されるようにした単一組立体よりなり、
上記モジュール部材（３６，８２）が単一ユニットとして挿入及び交換されるべく前記凹入部（３４）に着脱自在に受け入れられている外部リヤビューミラー装置。
【請求項４６】
ほぼ後方を向く開口を有し自動車の外面に取付けるものとされたハウジング（１６；１６'）と、
上記開口に並置された反射ミラー（３２）と、
上記ハウジング（１６：１６'）に取付けられた第１の部材（３６；８２）とを備え、
前記部材（３６；８２）が該部材に固定された光透過レンズ（５６）を備え、該レンズ（５６）と上記第１の部材（３６，８２）とが前記ハウジング（１６，１６'）の外面に実質的に滑らかに連続する外面形状を有し、また、
光源（４６）を含む警戒灯装置（３８）を含んでおり、該光源（４６）が運転者には見えないが、上記光透過レンズ（５６）を通して視認可能な信号を付与するものである外部リヤビューミラー装置。
【請求項４７】
ほぼ後方を向く開口を有し自動車の外面に取付けるものとされた輪郭付けられたハウジング（１６；１６'）と、
上記開口に並置された反射ミラー（３２）と、
上記ハウジング（１６：１６'）の外面部に重ね合わせて着脱自在に取付けられた第１の輪郭形成部材（３６；８２）とを備え、
前記輪郭形成部材（３６；８２）が該部材に固定されたレンズ（５６）を備えた警戒灯モジュール（３８）を受け入れるための凹入部（３４）を含み、該レンズ（５６）が前記ハウジング（１６，１６'）の外面に実質的に滑らかに連続する外面形状を有し、
前記警戒灯モジュール（３８）が前記凹入部（３４）に固定され、
該警戒灯モジュール（３８）は光源（４６）を含み、その動作時に、上記光透過レンズ（５６）を通して隣接する自動車に視認可能な信号を付与するものである外部リヤビューミラー装置。
【発明の詳細な説明】
【発明の詳細な説明】
【０００１】
【発明の属する技術分野】
【０００２】
この発明は自動車のリヤビューミラー装置、特に補助警戒灯を組込んである外部ミラー装置に、関するものである。
【発明の背景】
【０００３】
補助警戒灯は長い間、自動車の側に組込まれ隣接した車両に運転者の意図、例えば交通軌道を変更するとかターンするといった意図、を知らせる手段を提供してきている。このような警戒灯は、盲点に位置し信号中の尾灯が隣接する車両の運転者に見えないようになり得る車両に対し注意を与えるのに、有用である。
【発明の開示】
【発明が解決しようとする課題】
【０００４】
このような補助警戒灯の組込みは作業車形式の車両に対しては比較的簡単で直接に行えるが、乗用車形式の車両に対しては審美的な外観のせいもあって若干、より複雑となる。またどの形式の車両にも当てはまる他の考慮すべき点には、車両運転者の視界に対する影響を最小限に減らすように、且つ、補助警戒灯を視認可能な車両の側方及び後方の領域を最大限に広げるように、補助警戒灯を位置させる必要性を含む。さらに車両製造業者は多くの場合、一定の車両に対してはオプションとして補助警戒灯装置を提供することを望むであろうから、警戒灯装置をその組込みに関連する余分の労力及び／又はコストが最少化されるよう、車両の既存の設計部品と簡単且つ便利に一体化するように設計することが、極めて望ましい。
【発明の要約】
【０００５】
この発明は高度に有効で審美的に喜ばしい補助警戒灯装置を、自動車の外部リヤビューミラー装置中に組込むものである。この発明に係る補助警戒灯は自動車の外部リヤビューミラー装置の外側面上に、自動車の長手軸線に対しほぼ垂直な直線から後向きに約９０度延びた角度まわりで視認可能に設置するのが、好ましい。この方法で補助警戒灯はそばに近づいて来る車両に対し最大限に視認可能であり、一方、放出光が車両運転者或いは近づく交通機関から見えるのがなお防がれる。しかし補助警戒灯を、上述の角度に加えて近づく交通機関からも見えるように配置することは望ましい場合もあり、実際に或る国で要求されているフェンダ・サイドマーカー灯に置換えてもよい点が、留意されるべきである。
【０００６】
この発明の一実施態様では補助警戒灯を、ミラーハウジングに取付ける取外し可能な装飾カバーへと一体的に組込み、補助警戒灯をミラーハウジング内でワイヤリングハーネスへと接続するための接続用導線を設ける。本実施例の修正例では警戒灯装置を組込んだ装飾カバー部材にプラグを設けると共にミラーハウジングに受容器を設けて、装飾カバー部材がハウジングに取付けられたときカバー部材上の接点が受容器中に「差し込まれる」こととする。この修正例は、補助警戒灯のための電気接続をする何らの別の努力を必要としないことから、最終組立てに伴うコストを一層低減する。さらに装飾カバー部材中に警戒灯を一体的に組込むことにより、装飾カバー部材に対してのみ補助警戒灯を加えるか除去するように変更しさえすれば済むことから補助警戒灯をオプションとして提供するのがずっと楽になる。
【０００７】
この発明の他の特徴と長所は、図面を参照して行う以下の説明から明瞭に理解できる。
【実施例】
【０００８】
図面、特に図１，７について述べると、自動車１４のドア１２上に組込まれている外部リヤビューミラー装置を、符号１０で全体を指して示してある。ミラー装置１０は典型的な分離型のもので、ほぼ三角形状の支持プレート２０から外向きに突出するアーム１８に回動可能に支持されたハウジング１６を含む。図７に示すように２個のミラー装置１０を、車両１４上で支持するのが好ましい。
【０００９】
ハウジング１６はどのような所望形状のものであってもよく、上壁部２２、低壁部２４、前向き壁部２６、内及び外壁部２８及び３０を含み、これらの壁部は美的な外観を提示するように組合わされている。ハウジング１６の後向き部分は開放され、反射鏡ないしミラー３２を受入れるようにされている。ミラー３２は平面、凹面或いは凸面のような任意の適当な形式のものであるか、まぶしさを減らすように自動的に調整する形式のものであってよい。適当な形状の支持部材（図示せず）をハウジング１６内に固定してあり、開口内でミラー３２を可動に支持するのに用いられている。同支持部材はミラー３２を遠隔調整操作するための適当な駆動モータ、そして所望の場合にはミラー３２を加熱する手段を、含んでいてよい。ハウジング１６はまた上壁部２２、内及び外壁部２８，３０、前向き壁部２６の少なくとも一部にまたがる凹入部３４を含み、この凹入部３４は、車両又は他の仕上げ品に色彩を調和させて審美的に喜ばしい外観を提示させてよい装飾カバー部材３６を、受入れるようにされている。
【００１０】
このようにミラー装置１０は、各種自動車に現在採用されている既存のリヤビューミラー装置の典型的なものである。しかしながらこの発明のミラー装置１０には、装飾カバー部材３６と一体化された補助警戒灯装置３８も組込まれている。
【００１１】
図３に示すように補助警戒灯装置３８はベース部材４０を備えた灯火ハウジングを含み、ベース部材４０は、光源４６を有する適当な電気ソケット４４を受入れるようにした開口４２を備えている。開口４２は２個又は３個の放射方向外向き及び周方向に延びた開口部を有し、それによって電気ソケット４４の分断された内側フランジ部４８を通過させた上で数度回転させてロックできるように、設計するのが好ましい。どのような利用可能な光源４６も用い得る点に、留意すべきである。適当な接続用導線及び関連した電気接続器５０も、ソケット４４から外方に引き出して設けてあり、ハウジング１６内に設けられたワイヤリングハーネス５４の電気接続器５２に対し接続することとしてある。ベース部材４０にレンズ部材５６を取付けてあり、このレンズ部材５６は光源４６から放出される光をミラー・ハウジング１６から外向きに、ミラー装置１０を通過し自動車１４の長手軸線６２に対し実質的に垂直に延びている直線６０から後向きに約９０度にわたった弧度５８だけ向けさせる。レンズ部材５６によって伝達される可視光を強めるためベース部材４０の内面６４は、最大量の光が光源４６からレンズ部材５６へと向けられるように形状を設定した反射材料でコーティングするのが好ましい。
【００１２】
警戒灯装置３８は装飾カバー部材３６に対し一体物を形成するように、一体形成したスナップファスナによって機械的に取付けるのが好ましい。もちろん警戒灯装置３８を装飾カバー部材３６に対し他の適当な手段、例えば接着剤結合、音波溶接、モールディング、或いは適当な分離ファスナさえ、を用いて取付けてもよい。警戒灯装置３８が図１，２に示すように、装飾カバー部材３６の外部輪郭に対し実質的に滑らかに連続した形状の外面を有することは、望ましいことである。
【００１３】
警戒灯装置３８を収容するためハウジング１６には、装飾カバー部材３６の下方に位置する外壁部３０の凹入部に開口６６を設けてある。警戒灯装置３８を収容するための開口６６を設けたものとしてハウジング１６を図示したが、或る場合にはそれに代えて閉鎖された凹みを設けるのが望ましい。また上述した通り適当な電気接続器５２を有するワイヤリングハーネス５４をハウジング１６内に、開口６６を介して近接できるように設けるか、或いは開口６６に代え凹みを設けるときは該凹み内で設ける。
【００１４】
装飾カバー部材３６とそれに関連した警戒灯装置３８を組立てるためには、２つの電気接続器５０，５２を相互に接続し次に装飾カバー部材３６をハウジング１６に組込めばよい。図４に示すように装飾カバー部材３６にはその背面７０上において、互いに間隔をあけて突出する複数の突起６８を設けてある。これらの突起６８はハウジング１６中に設けられた適当な開口内に受けられ、同開口内に設けた掛け金部材と協力して装飾カバー部材３６を、本形式の現在利用されているミラー装置におけるのと同様に拘束するものに、設計されている。
【００１５】
警戒灯装置３８は車両のターンシグナル系統と、一方或いは他方のターンシグナルが作動されると車両の対応する側の外部ミラーに設けられた警戒灯装置３８も作動されるように、相互接続するものとされている。この方法で本発明装置を装備した車両に近づくかその盲点内を走行している他の車両は、車両の尾灯を視認する位置にいないかもしれないのに本発明装置を装備する車両のターン或いは路線変更の意図を直ちに認識する。しかし光がミラー装置の外壁部３０上に位置していることから、ハウジング１６とミラー３２は車両の運転者がこの光によって気を散らすことを阻止する。
【００１６】
前述したように本発明は補助警戒灯を、車両製造業者が任意の装飾品として提供するのに特に適している。図４に示すように警戒灯装置３８を含む装飾カバー部材３６の全体としての寸法と形状は、警戒灯装置３８を含まない装飾カバー部材７２と簡単且つ便利よく交換できるものとなっている。したがってミラーの最終組込み中にミラー・ハウジング１６への取付けのため２つの装飾カバー部材３６，７２の一方或いは他方を、意図した需要者の所望するところに従って組立て者が単に選択しさえすればよい。さらに車両の購入者が後で補助警戒灯装置を加えるとか除去するのを決定するとすれば、装飾カバー部材３６又は７２を他の装飾カバー部材と交換しさえすればよい。
【００１７】
図５，６には迅速且つ低コストの交換性をさらに高めた、この発明の他の実施例を示してある。本実施例ではベース部材４０、電気ソケット４４及び接続器５０を、ベース部材７３と１対の導電性ピン７６を有する電気ソケット７４とに置換えている。ミラー・ハウジング１６’も、開口６６を埋め込み式の空所７８に置換えることで修正してあり、空所７８内には間隔をあけた１対の穴８０を、装飾カバー部材８２が組付けられるとピン７６を受け入れるように配置して設けてある。したがって本実施例では組立て者が最初に２つの電気接続器５０，５２を相互接続する必要はなく、むしろ単に装飾カバー部材８２を、ピン７６が穴８０に受けられそれによって警戒灯装置が既存の車両ターンシグナル系統へと電気的に接続されるようにしながら、組付ければよい。前述実施例の場合同様、購入者が警戒灯装置を含めるのを所望しなかった場合、警戒灯装置を含まないカバー部材をミラー・ハウジング１６へと簡単に組付け、空所７８を覆って隠す。
【００１８】
これまで説明してきた好ましい実施例は前述の長所と特徴を与えるように良く勘案されたものであるが、特許請求の範囲を正確に解釈した範囲を外れることなく多くの変形、修正を加えて本発明を実施できることは、容易に理解される通りである。
【図面の簡単な説明】
【００１９】
【図１】この発明に従って補助警戒灯を組込んである外部リヤビューミラー装置を有する自動車の一部を示す斜視図である。
【図２】図１のミラー装置の側面図である。
【図３】図１のミラー装置の断面図で、断面は図１の３−３線に沿う。
【図４】ミラー・ハウジングの斜視図で、２種類の装飾カバー部材を組込み前の状態で一緒に示してある。
【図５】この発明に従って一体的に形成された電気接続器を含む警戒灯装置を有する装飾カバー部材の背面側を示す斜視図である。
【図６】図５に示したプラグと合うようにしてある電気出口を設けてあるミラー・ハウジングの一部を示す斜視図である。
【図７】この発明に従ったミラーを両側に取付けてある自動車の平面図である。
【符号の説明】
【００２０】
１０          外部リヤビューミラー装置
１４          自動車
１６，１６’  ハウジング
２２          上壁部
２４          低壁部
２６          前向き壁部
２８          内壁部
３０          外壁部
３２          反射鏡（ミラー）
３６          装飾カバー部材
３８          補助警戒灯装置
４０          ベース部材
４４          電気ソケット
４６          光源
５０          電気接続器
５２          電気接続器
５６          レンズ部材
７２          装飾カバー部材
７３          ベース部材
７４          電気ソケット
７６          導電性ピン
７８          空所
８０          穴
８２          装飾カバー部材
【図１】
2004196298.tif 000003
【図２】
2004196298.tif 000004
【図３】
2004196298.tif 000005
【図４】
2004196298.tif 000006
【図５】
2004196298.tif 000007
【図６】
2004196298.tif 000008
【図７】
2004196298.tif 000009